(57)【特許請求の範囲】
【請求項１】
ユーザによる操作に応じて所定の動作を実行する携帯情報端末であって、
現在位置を特定する現在位置特定手段と、
動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを表示する選択オブジェクト表示手段と、
表示された当該１の選択オブジェクトに対する選択操作を受け付ける選択操作受付手段と、
当該選択操作が受け付けられたときに、前記１の選択オブジェクトが前記ＷＥＢページ上で選択されたときの結果として表示される選択結果を表示する選択結果表示手段と、
前記選択オブジェクト表示手段により現在位置に対応する１の選択オブジェクトが表示される前に、前記所定のＷＥＢページ上に表示されるオブジェクトに対する選択操作が既に実行されているか否かを特定する実行済特定手段とを含み、
前記選択結果表示手段は、前記所定のＷＥＢページ上に表示されるオブジェクトに対する選択操作が既に実行されていることが特定されたときに、前記選択オブジェクト表示手段により前記１の選択オブジェクトを表示することなく、前記選択結果を先行表示する先行表示手段を含む
ことを特徴とする携帯情報端末。
【請求項２】
前記動作関連情報記憶手段は、ユーザから選択操作を受け付けたことに応じて取得制限のある情報にアクセス可能とするためのオブジェクトに関する情報を前記選択オブジェクト情報として記憶する
請求項１記載の携帯情報端末。
【請求項３】
前記動作関連情報記憶手段は、選択されたときの結果としてクーポン画像情報を表示するオブジェクトに関する情報を前記選択オブジェクト情報として記憶する
請求項１または請求項２記載の携帯情報端末。
【請求項４】
前記選択オブジェクト表示手段により表示される前記１の選択オブジェクトとともに、当該前記１の選択オブジェクトが選択されたときに前記選択結果表示手段により表示される選択結果に関する説明を表示する説明表示手段を含む
請求項１から請求項３のうち何れかに記載の携帯情報端末。
【請求項５】
前記動作関連情報記憶手段は、選択結果を含む前記動作関連情報を記憶する
請求項１から請求項４のうち何れかに記載の携帯情報端末。
【請求項６】
前記動作関連情報記憶手段は、ＷＥＢページのアドレスに関するＷＥＢページ情報を含む前記動作関連情報を記憶し、
前記選択結果表示手段は、前記１の選択オブジェクトに対する選択操作が受け付けられたときに、当該１の選択オブジェクトに対応するＷＥＢページにアクセスし、アクセスした当該ＷＥＢページに存在する当該選択オブジェクトに対応するオブジェクトを示すＷＥＢページ上オブジェクトを特定し、特定した当該ＷＥＢページ上オブジェクトを選択し、当該ＷＥＢページ上オブジェクトを選択したことにより取得した選択結果を表示画面に表示する
請求項１から請求項４のうち何れかに記載の携帯情報端末。
【請求項７】
ユーザによる操作に応じて携帯情報端末に所定の動作を実行させるためのコンピュータプログラムであって、
前記携帯情報端末に、
現在位置を特定する現在位置特定処理と、
動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを表示する選択オブジェクト表示処理と、
表示された当該１の選択オブジェクトに対する選択操作を受け付ける選択操作受付処理と、
当該選択操作が受け付けられたときに、前記１の選択オブジェクトが前記ＷＥＢページ上で選択されたときの結果として表示される選択結果を表示する選択結果表示処理と、
前記選択オブジェクト表示処理にて現在位置に対応する１の選択オブジェクトが表示される前に、前記所定のＷＥＢページ上に表示されるオブジェクトに対する選択操作が既に実行されているか否かを特定する実行済特定処理とを実行させ、
前記選択結果表示処理では、さらに、前記所定のＷＥＢページ上に表示されるオブジェクトに対する選択操作が既に実行されていることが特定されたときに、前記選択オブジェクト表示処理にて前記１の選択オブジェクトを表示することなく、前記選択結果を先行表示する先行表示処理を
実行させるためのコンピュータプログラム。
【請求項８】
ユーザによる操作に応じて所定の動作を実行する携帯情報端末と、当該携帯情報端末と通信ネットワークを介して接続する情報管理サーバとを備える画像表示システムであって、
現在位置を特定する現在位置特定手段と、
動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを特定する選択オブジェクト特定手段を含み、
さらに、前記携帯情報端末は、
前記選択オブジェクト特定手段により特定された前記１の選択オブジェクトを表示する選択オブジェクト表示手段と、
表示された当該１の選択オブジェクトに対する選択操作を受け付ける選択操作受付手段と、
当該選択操作が受け付けられたときに、前記１の選択オブジェクトが前記ＷＥＢページ上で選択されたときの結果として表示される選択結果を表示する選択結果表示手段と、
前記選択オブジェクト表示手段により現在位置に対応する１の選択オブジェクトが表示される前に、前記所定のＷＥＢページ上に表示されるオブジェクトに対する選択操作が既に実行されているか否かを特定する実行済特定手段とを含み、
前記選択結果表示手段は、前記所定のＷＥＢページ上に表示されるオブジェクトに対する選択操作が既に実行されていることが特定されたときに、前記選択オブジェクト表示手段により前記１の選択オブジェクトを表示することなく、前記選択結果を先行表示する先行表示手段を含む
ことを特徴とする画像表示システム。
【発明の詳細な説明】
【技術分野】
【０００１】
本発明は、ユーザによる操作に応じて所定の動作を実行する携帯情報端末、ユーザによる操作に応じて携帯情報端末に所定の動作を実行させるためのコンピュータプログラム、および画像表示システムに関するものである。
【背景技術】
【０００２】
近年、所定の操作に応じてユーザに対してクーポン情報を取得させる技術が存在する（例えば、特許文献１）。
【０００３】
特許文献１は、会員が会員端末を操作して特定のテーマを持つコミュニティサイト（例えば、旅行というテーマを有するコミュニティサイト）にアクセスした際に、クーポンサービス情報を会員端末の表示装置に表示する技術を開示する。
【先行技術文献】
【特許文献】
【０００４】
【特許文献１】特開２００９−２１７７４３号公報
【発明の概要】
【発明が解決しようとする課題】
【０００５】
しかしながら、特許文献１のような情報を取得させる技術においては、ユーザに所定の情報を取得させるために、ユーザに端末を操作させて所定のサイトへ移動させたあとに、さらに、所定の選択操作を実行させる必要があり、ユーザにとって操作負担が大きいという課題があった。
【課題を解決するための手段】
【０００６】
本発明に係る携帯情報端末は、ユーザによる操作に応じて所定の動作を実行する携帯情報端末であって、現在位置を特定する現在位置特定手段と、動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを表示する選択オブジェクト表示手段と、表示された当該１の選択オブジェクトに対する選択操作を受け付ける選択操作受付手段と、当該選択操作が受け付けられたときに、前記１の選択オブジェクトが前記ＷＥＢページ上で選択されたときの結果として表示される選択結果を表示する選択結果表示手段と、前記選択オブジェクト表示手段により現在位置に対応する１の選択オブジェクトが表示される前に、前記所定のＷＥＢページ上に表示されるオブジェクトに対する選択操作が既に実行されているか否かを特定する実行済特定手段とを含み、前記選択結果表示手段は、前記所定のＷＥＢページ上に表示されるオブジェクトに対する選択操作が既に実行されていることが特定されたときに、前記選択オブジェクト表示手段により前記１の選択オブジェクトを表示することなく、前記選択結果を先行表示する先行表示手段を含むことを特徴とする。
【０００７】
上記の構成としたことで、所定の情報を取得させるためのユーザの操作負担を軽減することができるようになる。
【０００８】
前記動作関連情報記憶手段は、ユーザから選択操作を受け付けたことに応じて取得制限のある情報にアクセス可能とするためのオブジェクトに関する情報を前記選択オブジェクト情報として記憶する構成とされていてもよい。
【０００９】
前記動作関連情報記憶手段は、選択されたときの結果としてクーポン画像情報を表示するオブジェクトに関する情報を前記選択オブジェクト情報として記憶する構成とされていてもよい。
【００１１】
前記選択オブジェクト表示手段により表示される前記１の選択オブジェクトとともに、当該前記１の選択オブジェクトが選択されたときに前記選択結果表示手段により表示される選択結果に関する説明を表示する説明表示手段を含む構成とされていてもよい。
【００１２】
前記動作関連情報記憶手段は、選択結果を含む前記動作関連情報を記憶する構成とされていてもよい。
【００１３】
前記動作関連情報記憶手段は、ＷＥＢページのアドレスに関するＷＥＢページ情報を含む前記動作関連情報を記憶し、前記選択結果表示手段は、前記１の選択オブジェクトに対する選択操作が受け付けられたときに、当該１の選択オブジェクトに対応するＷＥＢページにアクセスし、アクセスした当該ＷＥＢページに存在する当該選択オブジェクトに対応するオブジェクトを示すＷＥＢページ上オブジェクトを特定し、特定した当該ＷＥＢページ上オブジェクトを選択し、当該ＷＥＢページ上オブジェクトを選択したことにより取得した選択結果を表示画面に表示する
る構成とされていてもよい。
【００１４】
また、本発明のコンピュータプログラムは、ユーザによる操作に応じて携帯情報端末に所定の動作を実行させるためのコンピュータプログラムであって、前記携帯情報端末に、現在位置を特定する現在位置特定処理と、動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを表示する選択オブジェクト表示処理と、表示された当該１の選択オブジェクトに対する選択操作を受け付ける選択操作受付処理と、当該選択操作が受け付けられたときに、前記１の選択オブジェクトが前記ＷＥＢページ上で選択されたときの結果として表示される選択結果を表示する選択結果表示処理と、前記選択オブジェクト表示処理にて現在位置に対応する１の選択オブジェクトが表示される前に、前記所定のＷＥＢページ上に表示されるオブジェクトに対する選択操作が既に実行されているか否かを特定する実行済特定処理とを実行させ、前記選択結果表示処理では、さらに、前記所定のＷＥＢページ上に表示されるオブジェクトに対する選択操作が既に実行されていることが特定されたときに、前記選択オブジェクト表示処理にて前記１の選択オブジェクトを表示することなく、前記選択結果を先行表示する先行表示処理を実行させるためのものである。
【００１５】
また、本発明の画像表示システムは、ユーザによる操作に応じて所定の動作を実行する携帯情報端末と、当該携帯情報端末と通信ネットワークを介して接続する情報管理サーバとを備える画像表示システムであって、現在位置を特定する現在位置特定手段と、動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶手段を参照して、特定された現在位置に対応する１の選択オブジェクトを特定する選択オブジェクト特定手段を含み、さらに、前記携帯情報端末は、前記選択オブジェクト特定手段により特定された前記１の選択オブジェクトを表示する選択オブジェクト表示手段と、表示された当該１の選択オブジェクトに対する選択操作を受け付ける選択操作受付手段と、当該選択操作が受け付けられたときに、前記１の選択オブジェクトが前記ＷＥＢページ上で選択されたときの結果として表示される選択結果を表示する選択結果表示手段と、前記選択オブジェクト表示手段により現在位置に対応する１の選択オブジェクトが表示される前に、前記所定のＷＥＢページ上に表示されるオブジェクトに対する選択操作が既に実行されているか否かを特定する実行済特定手段とを含み、前記選択結果表示手段は、前記所定のＷＥＢページ上に表示されるオブジェクトに対する選択操作が既に実行されていることが特定されたときに、前記選択オブジェクト表示手段により前記１の選択オブジェクトを表示することなく、前記選択結果を先行表示する先行表示手段を含むことを特徴とする。
【発明の効果】
【００１６】
本発明によれば、所定の情報を取得させるためのユーザの操作負担を軽減することができるようになる。
【図面の簡単な説明】
【００１７】
【図１】携帯情報端末の構成例を示すブロック図である。
【図２】動作関連情報の格納例を示す説明図である。
【図３】選択オブジェクトの構成例を示す図である。
【図４】携帯情報端末の動作の概念を示す概念図である。
【図５】選択結果表示処理の例を示すフローチャートである。
【図６】表示画面の例を示す説明図である。
【図７】表示画面の例を示す説明図である。
【図８】動作関連情報の格納例を示す説明図である。
【発明を実施するための形態】
【００１８】
［第１の実施の形態］
以下、図面を参照しながら、第１の実施の形態に係る携帯情報端末１００の例について説明する。
【００１９】
図１は、本実施の形態に係る携帯情報端末の構成例を示すブロック図である。図１示すように、携帯情報端末１００は、制御部１０と、記憶部２０と、メモリ３０と、表示部４０と、センサ部５０と、通信部６０と、入力部７０とを備える。
【００２０】
制御部１０は、ＣＰＵ（中央処理装置）により構成される。そして、制御部１０は、記憶部２０に記憶されたコンピュータプログラム（携帯情報端末１００に動作制御させるためのコンピュータプログラム）に従い、携帯情報端末１００を構成する各要素を統括制御し各種処理を実行するための各種機能を有する。本例では、制御部１０は、位置特定機能と表示機能とを含む各種の機能を有する。なお、これらの各種の機能は、一般の携帯情報端末が備える公知の技術によって実現される。
【００２１】
記憶部２０は、ＲＯＭやＲＡＭなどで構成され、携帯情報端末１００が使用する各種コンピュータプログラムや、各種コンピュータプログラムを実行させるための各種情報などを記憶する記憶媒体である。なお、記憶部２０の構成については、後で詳しく説明する。
【００２２】
メモリ３０は、制御部１０が処理する各種情報を一時的に保持する記憶媒体であり、ＲＡＭなどの半導体記憶装置により構成される。
【００２３】
表示部４０は、各種情報をユーザが認識可能な形で出力する機能を備え、例えば画像情報を表示する表示装置（例えば、液晶モニタや、入力機能を併せ持つタッチパネルなど）により構成される。
【００２４】
センサ部５０は、携帯情報端末１００の現在位置（つまり、ユーザの現在位置）を測位する機能を備えている。例えば、センサ部５０は、ＧＰＳセンサや、初期位置から移動量（距離）を計測する速度センサ、進行（移動）方位を計測するジャイロセンサ等からなる。
【００２５】
ＧＰＳセンサは、いわゆるＧＰＳ受信機と称されるものである。具体的には、ＧＰＳセンサは、ＧＰＳ衛星から放射されるＧＰＳ信号を受信してＧＰＳ衛星とＧＰＳ受信機自身との距離（疑似距離）を測定する。そして、ＧＰＳセンサは、複数の衛星からのＧＰＳ信号を同時に受信する。各ＧＰＳ信号を受信すると、ＧＰＳセンサは、受信したＧＰＳ信号のデコード等の処理を行う。デコード等の処理を行うと、ＧＰＳセンサは、制御部１０に通知する。このようにして、ＧＰＳセンサは、携帯情報端末１００の現在位置（つまり、ユーザの現在位置）を測位するように機能する。
【００２６】
通信部６０は、通信ネットワークに無線あるいは有線によって接続し、各種情報の送受信を行うための機能を有する。
【００２７】
入力部７０は、制御部１０に対する各種指示をユーザから受け付ける機能を備える。本例では、入力部７０は、例えば、表示部４０の表示画面上に表示される仮想的ボタンと、携帯端末１００が予め備える物理的ボタンとによって構成される。なお、本例では、入力部７０が仮想的ボタンと物理的ボタンとを含むように構成されているが、入力部７０は仮想的ボタンと物理的ボタンとの何れか一方によって構成されてもよい。
【００２８】
次に、携帯情報端末１００における制御部１０の構成について詳細に説明する。図１に示すように、制御部１０は、センサ情報処理（位置情報特定）部１１と、通信処理部１２と、選択オブジェクト表示処理部１３と、選択結果表示処理部１４とを含む。
【００２９】
センサ情報処理部１１は、センサ部５０により位置情報を含むセンサ情報の特定や、記憶部（またはメモリ）への格納などの処理を実行する機能を有する。
【００３０】
通信処理部１２は、通信部６０によりＷＥＢサイト上の情報を含む各種情報の送受信処理を実行する機能を有する。
【００３１】
選択オブジェクト表示処理部１３は、選択オブジェクトを表示するための処理を実行する機能を有する。具体的には、後述する動作関連情報と、特定した位置情報とを参照して表示する選択オブジェクトを決定し、決定した選択オブジェクトを表示するための処理を実行する機能を有する。また、選択オブジェクト表示処理部１３は、選択操作が既に実行されているか否かを特定し、特定した情報を選択結果表示処理部１４に送信する機能を有する。
【００３２】
選択結果表示処理部１４は、選択結果を表示するための処理を実行する機能を有する。具体的には、選択オブジェクト表示処理部１３によって表示される選択オブジェクトに対する操作（例えば押下げ操作）を受け付けたことに応じて、後述する動作関連情報を参照して選択結果を特定し、特定した選択結果を表示するための処理を実行する機能を有する。また、選択結果表示処理部１４は、選択オブジェクト表示処理１３が選択操作が既に実行されていることを特定したことに応じて、後述する動作関連情報を参照して選択結果を特定し、特定した選択結果を表示するための処理を実行する機能を有する。
【００３３】
次に、携帯情報端末１００における記憶部２０の構成について詳細に説明する。図１に示すように、記憶部２０は、携帯情報端末１００を構成する各要素を統括制御するためのコンピュータプログラムを記憶する記憶部（図示せず）に加え、動作関連情報記憶部２１を含む。なお、本例では、携帯情報端末１００が動作関連情報記憶部２１を備える構成としているが、携帯情報端末１００以外の端末に動作関連情報記憶部２１と同様の構成を備える記憶部が含まれる構成されていてもよい。この場合は、携帯情報端末１００が、動作関連情報記憶部２１と同様の構成を含む記憶部を備える端末に対して情報の照会を行うように構成される。
【００３４】
動作関連情報記憶部２１は、携帯情報端末１００が実行する処理（動作）に関連する動作関連情報を格納するための記憶媒体である。図２は、動作関連情報記憶部２１が格納する動作関連情報の格納例を示す説明図である。図２に示すように、動作関連情報は、許容エリア情報と、選択オブジェクト情報とを含む。なお、動作関連情報は、ＷＥＢページの管理者や、携帯情報端末１００の管理者であるユーザにより適宜更新される。
【００３５】
許容エリア情報は、予め設定されたエリアを示す情報である。本例の許容エリア情報は、現在位置が所定のエリア内に位置するか否かを判定するために用いられる。また、許容エリア情報は、許容エリア情報の中心位置情報を含む構成とすることもできる。例えば、携帯情報端末１００が、複数のエリアが重複する位置が現在位置となったときに、現在地に最も近い中心位置情報を特定するように構成することができる。このような構成によれば、動作関連情報を特定することができるようになる。
【００３６】
選択オブジェクト情報は、所定のＷＥＢページ上に表示される選択操作のためのオブジェクト（つまり、ＷＥＢページ上オブジェクト）に関する情報である。具体的には、選択オブジェクト情報は、ＷＥＢページ上に表示されている所定の情報に対して「良い！」「共感した！」という意思表示をするための「いいね」ボタンに関する情報である。
【００３７】
図２に示すように、選択オブジェクト情報は、選択オブジェクトと、選択結果と、先行表示フラグとを含む。なお、本例では、選択操作のためのオブジェクトとして「選択オブジェクト」と「ＷＥＢページ上オブジェクト」とを使い分けて説明する。上述のように、「ＷＥＢページ上オブジェクト」は、所定のＷＥＢページ上に表示される選択操作のためのオブジェクトを示す。一方で、「選択オブジェクト」は、動作関連情報に含まれる情報であって、ＷＥＢページ上オブジェクトに基づいて予め設定された情報である。「選択オブジェクト」は、例えば、動作関連情報を更新する管理者によって予め設定されるように構成されていてもよいし、ＷＥＢページ上に表示されているオブジェクトがそのまま設定されるように構成されていてもよい。
【００３８】
選択オブジェクトは、図形情報および文字情報を含む１の画像で構成されている。そして、選択オブジェクトは、「押下げ操作」や「フリック操作」や「スワイプ操作」などの１の操作を受け付けるためのものである。図３は、選択オブジェクトの構成例を示す図である。図３に示すように、選択オブジェクトは、図形情報で構成される「いいね」ボタン（図３（ａ）参照）や「シェア」ボタン（図３（ｃ）参照）や「ホーム」ボタン（図３（ｅ）参照）を含む。さらに、選択オブジェクトは、文字情報で構成される「いいね」（図３（ｂ）参照）や「シェア」（図３（ｄ）参照）や「ホーム」（図３（ｆ）参照）を含む。
【００３９】
本例の選択オブジェクト情報として格納される選択オブジェクトは、ＷＥＢページ上に表示されているすべてを対象として格納するのではなく、特定の選択オブジェクトについてのみ格納する構成としている。例えば、格納される選択オブジェクトは、ユーザから選択操作を受け付けたことに応じて取得制限のある情報にアクセス可能とするための選択オブジェクトを含む。ここで、「ユーザから選択操作を受け付けたことに応じて取得制限のある情報にアクセス可能とするための選択オブジェクト」とは、例えば、選択操作が実行されると所定の結果（例えば、クーポン画像や、一部が表示されているページの全てのページなど）を選択結果として得ることができるような選択オブジェクトのことを示す。より具体的に言い換えれば、本例の選択オブジェクト情報は、選択オブジェクト（例えば、「いいね」ボタン）の選択操作がトリガとなり取得制限（または、閲覧制限）が解除される情報（例えば、クーポン画像）が存在する場合における、この選択オブジェクト（「いいね」ボタン）に対応する画像と、解除されたことにより取得可能（または、閲覧可能）となった情報（クーポン画像）とを含む。
【００４０】
なお、選択オブジェクトは、「ユーザから選択操作を受け付けたことに応じて取得制限のある情報にアクセス可能とするための選択オブジェクト」に限らず、閲覧頻度の高いサイトにアクセスするための選択オブジェクト（例えば、「ホーム」アイコン）を含むように構成されていてもよい。
【００４１】
選択結果は、１の選択オブジェクトがＷＥＢページ上で選択操作されたときの結果として表示される情報である。具体的には、クーポン画像や、所定のサイトのページ情報を含む。
【００４２】
先行表示フラグは、「０」または「１」で格納されるフラグ情報であり、先行表示するか否かを判定するために用いられる情報である。例えば、先行表示フラグは、選択操作が既に実行済であるか否かに基づいて決定される場合と、ユーザ（または管理者）により実行された設定操作に基づいて決定される場合とを含む。
【００４３】
ここで「選択操作が既に実行済であるか否かに基づいて決定される」とは、例えば、所定のＷＥＢページにおける「いいね」ボタンが既に選択操作されている状態となっている場合は「１」として格納され、未だ選択操作されていない状態となっている場合は「０」として格納されることを示す。したがって、先行表示フラグは、初期状態では「０」として格納されており、ユーザの選択操作に応じて制御部１０により先行表示フラグが適宜更新され「１」として格納される。
【００４４】
次に、携帯情報端末１００の動作の概念について図を参照して説明する。
【００４５】
図４は、携帯情報端末の動作の概念を示す概念図である。図４（ａ）から図４（ｅ）では、ＷＥＢサイトで「良い！」と評価した人にクーポンＱを配布している店舗Ｔがあるときに、その店舗Ｔを「良い！」と評価したユーザＵが、評価したことにより取得したクーポンＱを使用して店舗Ｔで商品を購入する場合の一連の流れを示している。
【００４６】
図４（ａ）は、ユーザＵがスマートフォンＳ（携帯情報端末）を所持したまま、店舗Ｔに入店したときを示す図である。また、図４（ｂ）は、入店時のスマートフォンＳの表示画面Ｄを示す図である。また、図４（ｃ）は、表示画面Ｄに表示される「いいね」ボタンＮＢを選択したときを示す図である。さらに、図４（ｄ）は、「いいね」ボタンＮＢが選択されたことにより表示画面ＤにクーポンＱが表示されたときを示す図である。
【００４７】
先ず、ユーザＵが店舗ＴにスマートフォンＳを持って入店すると（図４（ａ）参照）、スマートフォンＳには、店舗Ｔの位置を示す位置情報に基づいて表示画面Ｄに「１の選択オブジェクト」としての「いいね」ボタンＮＢが表示される（図４（ｂ）参照）。ここで、ユーザＵが「いいね」ボタンＮＢを押下げすると（図４（ｃ）参照）、ユーザＵは店舗Ｔについて「良い！」と評価するとともにクーポンＱを取得する（図４（ｄ）参照）。その後取得したクーポンＱをレジで提示し、商品を購入する（図４（ｅ）参照）。
【００４８】
このように、ユーザが、クーポンを取得するために店舗を評価するためのＷＥＢサイトにアクセスし、評価するためのボタンを探すというステップを経ることなく、ユーザが店舗に入店した、表示されたボタンを選択操作するだけでクーポンを取得することができるようになる。すなわち、所定の情報を取得するまでに必要な操作回数を減らすことができるようになるため、所定の情報を取得させるためのユーザの操作負担を軽減することができるようになる。
【００４９】
以上、携帯情報端末１００の動作例を示す概念を説明した。次に、携帯情報端末１００の動作について図面を参照して説明する。なお、本発明に特に係わらない処理については、その詳細な説明を省略している場合がある。
【００５０】
図５は、携帯情報端末１００が実行する選択結果表示処理の例を示すフローチャートである。選択結果表示処理では、ユーザ位置に基づいて所定の情報を表示する処理が実行される。
【００５１】
選択結果表示処理では、先ず、携帯情報端末１００の制御部１０は、ユーザの位置情報を特定する（ステップＳ１０１）。
【００５２】
位置情報が特定されると、制御部１０は、動作関連情報記憶部２１を参照してユーザの位置情報に対応する動作関連情報を特定するための処理を実行する（ステップＳ１０２）。すなわち、制御部１０が、許容エリア情報によって示される位置を中心とした所定の範囲内にユーザの現在位置を含んでいる動作関連情報を特定する。
【００５３】
次に、制御部１０は、ユーザの位置情報に対応する動作関連情報が特定できたか否か判定する（ステップＳ１０３）。制御部１０がユーザの位置情報に対応する動作関連情報が特定できなかったと判定したときには（ステップＳ１０３のＮ）、制御部１０は、ステップＳ１０１に戻り、再度ユーザの位置情報を特定する。
【００５４】
一方で、制御部１０がユーザの位置情報に対応する動作関連情報が特定できたと判定したときには（ステップＳ１０３のＹ）、制御部１０は、特定した動作関連情報参照して先行表示フラグを特定し、特定した先行表示フラグが「０」であるか否かを判定する（ステップＳ１０４）。
【００５５】
制御部１０が動作関連情報を参照して先行表示フラグが「０」ではないと判定したとき（ステップＳ１０４のＮ）には、制御部１０は、動作関連情報を参照して選択結果を表示画面に表示する（ステップＳ１０８）。選択結果の表示については、後で詳しく説明する。
【００５６】
一方で、制御部１０が動作関連情報を参照して先行表示フラグが「０」であると判定したとき（ステップＳ１０４のＮ）には、制御部１０は、動作関連情報を参照して選択オブジェクトを特定し、特定した選択オブジェクトを表示画面に表示する（ステップＳ１０５）。すなわち、制御部１０は、ステップＳ１０２で特定できた動作関連情報に格納される「１の選択オブジェクト」を表示画面に表示する。
【００５７】
図６は、「１の選択オブジェクト」を表示する表示画面の例を示す説明図である。図６に示すように、表示画面８０には、「１の選択オブジェクト」としての「いいね」ボタン８１が選択可能に表示される。本例では、選択オブジェクト８１が、ユーザによる「押下げ操作」を可能とするように表示される構成としているが、選択オブジェクト８１は、「スワイプ操作」や「フリック操作」などを可能とするように表示される構成とされていてもよい。
【００５８】
選択オブジェクトが表示されると、制御部１０は、ユーザから所定の選択操作を受け付ける（ステップＳ１０６）。そして、制御部１０は、ユーザから受け付けた選択操作が選択オブジェクトの選択操作（例えば、押下げ操作）であるか否かを判定する（ステップＳ１０７）。
【００５９】
制御部１０がユーザから受け付けた操作が選択オブジェクトの選択操作ではないと判定したとき（ステップＳ１０７のＮ）には、制御部１０は、ユーザから受け付けた操作をキャンセル操作として受け付けて、選択結果表示処理を終了する。なお、本例では、携帯情報端末１００が、選択オブジェクトの選択操作以外の全ての操作がキャンセル操作として受け付けられるように構成されているが、このような構成に限られない。例えば、制御部１０は、キャンセル操作のためのオブジェクトを選択オブジェクトとは別に表示し、選択オブジェクトの選択操作以外の操作を受け付けた場合であってもキャンセル操作のためのオブジェクトが選択されるまでは、選択結果表示処理を終了しない構成とされていてもよい。
【００６０】
一方で、制御部１０がユーザから受け付けた操作が選択オブジェクトの選択操作であると判定したとき（ステップＳ１０７のＹ）には、制御部１０は、動作関連情報を参照して、選択結果を特定し、特定した選択操作に対応する選択結果を表示する（ステップＳ１０８）。
【００６１】
図７は、選択結果を表示する表示画面の例を示す説明図である。図７に示すように、表示画面８０には、選択結果画面としてのクーポン画像８２が表示される。
【００６２】
制御部１０は、選択結果を表示すると、選択結果表示処理を終了する。
【００６３】
以上に説明したように、本実施の形態に係る携帯情報端末１００は、ユーザによる操作に応じて所定の動作を実行する携帯情報端末であって、現在位置を特定し（例えば、ステップＳ１０１）、動作の内容に関連する情報であって、所定のオブジェクトの表示を許容するエリアに関する許容エリア情報と、所定のＷＥＢページ上に表示される選択操作のためのオブジェクトに関する選択オブジェクト情報とを含む動作関連情報を記憶する動作関連情報記憶部（例えば、動作関連情報記憶部２１）を参照して、特定された現在位置に対応する１の選択オブジェクトを表示し（例えば、ステップＳ１０５）、表示された当該１の選択オブジェクトに対する選択操作を受け付け（例えば、ステップＳ１０６）、当該選択操作が受け付けられたときに、１の選択オブジェクトがＷＥＢページ上で選択されたときの結果として表示される選択結果を表示する（例えば、ステップＳ１０８）構成としている。このような構成によれば、ユーザは、自己の位置に応じて表示される１の選択オブジェクトを選択するだけで所望の情報を取得することができるようになる。すなわち、所定の情報を得るまでの操作回数を減らすことができるようになるため、所定の情報を取得させるための操作負担を軽減することができるようになる。
【００６４】
また、上述の実施の形態では、動作関連情報記憶部２１が、ユーザから選択操作を受け付けたことに応じて取得制限のある情報にアクセス可能とするためのオブジェクトに関する情報を選択オブジェクト情報として記憶するように構成されている。このような構成によれば、ユーザにメリットの無い情報の提供を排除することができるようになるため、情報提供の実効性を高めることができるようになる。したがって、情報提供サービスの利用頻度を効果的に高めることができるようになる。
【００６５】
また、上述した実施の形態では、動作関連情報記憶部２１が、選択されたときの結果としてクーポン画像情報を表示するオブジェクトに関する情報を選択オブジェクト情報として記憶するように構成されている。このような構成によれば、ユーザに操作負担なく有用な情報を提供することができるようになるとともに、効果的にクーポンを配信することができるようになるため、店舗のプロモーション活動を有効に実行することができるようになる。
【００６６】
また、上述の実施の形態では、携帯情報端末１００が、ユーザの現在位置に対応する１の選択オブジェクトが表示画面に表示される前に選択操作が既に実行されているか否かを特定し（例えば、ステップＳ１０４）、選択操作が既に実行されていると特定されたとき（例えば、ステップＳ１０４のＮ）に１の選択オブジェクトを表示することなく選択結果を先行表示する構成としている。このような構成によれば、既に所定の操作が実行されているときには、再度同じ操作を必要とすることなくクーポンなどの所定の情報を得ることができるようになるため、所定の情報を取得させるためのユーザの操作負担を軽減することができるようになる。
【００６７】
なお、上述の実施の形態では特に言及していないが、携帯情報端末１００は、表示する１の選択オブジェクトとともに、当該１の選択オブジェクトが選択されたときに表示される選択結果に関する説明を表示するように構成とされていてもよい。すなわち、上述した動作関連情報がさらに説明に関する説明情報を含み、１の選択オブジェクトときに、動作関連情報を参照して説明情報を１の選択オブジェクトの近傍に表示するように構成されていてもよい。
【００６８】
なお、上述の実施の形態では動作関連情報に選択結果を含むように構成されているが、このような構成に限られず、選択結果の代わりにＷＥＢページ情報を含むように構成されていてもよい。図８は、ＷＥＢページ情報を含む動作関連情報の格納例を示す説明図である。図８に示すように、動作関連情報は、選択オブジェクトに対応するＷＥＢページ上オブジェクトが存在するＷＥＢページのアドレスを示すＷＥＢページ情報を含む。このような動作関連情報を用いることにより、携帯情報端末１００は、選択オブジェクトに対する選択操作が受け付けられたときに、所定のＷＥＢページに内部的にアクセスすることにより選択結果を表示するように構成することができる。すなわち、携帯情報端末１００は、ＷＥＢページのアドレスに関するＷＥＢページ情報を含む動作関連情報（例えば、図８参照）を記憶する動作関連情報記憶部を備え、１の選択オブジェクト（例えば、携帯情報端末の表示画面に表示される「いいね」ボタン）に対する選択操作が受け付けられたときに、当該１の選択オブジェクトに対応するＷＥＢページにアクセスし、アクセスした当該ＷＥＢページに存在する当該選択オブジェクトに対応するオブジェクトを示すＷＥＢページ上オブジェクト（例えば、ＷＥＢページ上に表示される「いいね」ボタン）を特定し、特定した当該ＷＥＢページ上オブジェクトを選択し、当該ＷＥＢページ上オブジェクトを選択したことにより取得した選択結果を表示画面に表示する構成とされていてもよい。
【００６９】
なお、上述の実施の形態では特に言及していないが、携帯情報端末１００は、表示画面に表示される選択オブジェクト（例えば、「いいね」ボタン）が選択されたとき（ステップＳ１０７のＹ）に、選択された選択オブジェクトに対応するＷＥＢページ上のオブジェクト（例えば、ＷＥＢページ上オブジェクト）が選択されたものとして当該ＷＥＢページを更新するためのＷＥＢページ更新情報を当該ＷＥＢページを管理する情報管理サーバ（不図示）に送信するように構成されていてもよい。このような構成によれば、ユーザの操作負担を軽減してサービスの利用頻度を向上させることができるとともに、店舗が所望する情報（例えば、「いいね」ボタンの収集回数）を容易に収集することができるようになる。したがって、サービスの有用性が向上し、サービス自体の価値が高まることとなる。
【００７０】
なお、上述した実施の形態では特に言及していないが、携帯情報端末１００は、表示画面に選択オブジェクトとしての「いいね」ボタンを表示することなく選択結果を表示するとき（例えば、ステップＳ１０４のＮ）に、表示する選択結果に対応するＷＥＢページ上の「いいね」ボタンが選択されたものとして当該ＷＥＢページを更新するためのＷＥＢページ更新情報を当該ＷＥＢページを管理する情報管理サーバ（不図示）に送信するように構成されていてもよい。
【００７１】
［第２の実施の形態］
上述した第１の実施の形態で言及した携帯情報端末１００が備える機能の一部を情報管理サーバが備えるように構成することができる。そこで、第２の実施の形態として、ユーザによる操作に応じて所定の動作を実行する携帯情報端末と、当該携帯情報端末と通信ネットワークを介して接続する情報管理サーバとを備える画像表示システムについて説明する。以下、上述した第１の実施の形態で言及した構成と同様の構成を有する場合には同じ名称を用いて説明する。
【００７２】
先ず、携帯情報端末が位置情報を取得し、動作関連情報記憶部を備える情報管理サーバに取得した位置情報を送信する。位置情報を受信した情報管理サーバは、位置情報に対応する許容エリア情報を含む動作関連情報を特定し、特定した動作関連情報に基づいて特定した選択オブジェクトを携帯情報端末に送信する。選択オブジェクトを受信した携帯情報端末は、選択オブジェクトの選択操作を受け付け、当該選択操作を受け付けたことを示す情報を情報管理サーバに送信する。選択オブジェクトの選択操作を受け付けたことを示す情報を受信した情報管理サーバは、動作関連情報に基づいて特定した選択結果を携帯情報端末に送信する。選択結果を受信した携帯情報端末は、受信した選択結果を表示画面に表示する。このような構成によれば、所定の情報を得るまでの操作回数を減らすことができるようになるため、所定の情報を取得させるためのユーザの操作負担を軽減することができるようになる。
【００７３】
さらに、第２の実施の形態に係る画像表示システムでは、選択オブジェクトの選択操作を受け付けたことを示す情報を受信した情報管理サーバが、選択オブジェクトに対応するＷＥＢページ上のオブジェクトが選択されたものとして当該ＷＥＢページを更新するように構成されていてもよい。すなわち、画像表示システムは、表示画面に表示される選択オブジェクトとしての「いいね」ボタンが選択されると、対応するＷＥＢページ上の「いいね」ボタンが選択されたものとして当該ＷＥＢページを更新するように構成されていてもよい。このような構成によれば、ユーザの操作負担を軽減してサービスの利用頻度を向上させることができるとともに、店舗が所望する情報（例えば、「いいね」ボタンの収集回数）を容易に収集することができるようになる。したがって、サービスの有用性が向上し、サービス自体の価値が高まることとなる。
【産業上の利用可能性】
【００７４】
本発明は、ユーザによる操作に応じて所定の情報を表示するのに有用である。
【符号の説明】
【００７５】
１００携帯情報端末
１０            制御部
１１            センサ情報処理（位置情報特定）部
１２            通信処理部
１３            選択オブジェクト表示処理部
１４            選択結果表示処理部
２０            記憶部
２１            動作関連情報記憶部
３０            メモリ
４０            表示部
５０            センサ部
６０            通信部
７０            入力部
【図１】
0005914554.tif 000002
【図２】
0005914554.tif 000003
【図３】
0005914554.tif 000004
【図４】
0005914554.tif 000005
【図５】
0005914554.tif 000006
【図６】
0005914554.tif 000007
【図７】
0005914554.tif 000008
【図８】
0005914554.tif 000009